(57)【要約】  本発明は，ＩＰネットワーク移動体通信システムへ向けたマルチキャスト同報通信システムに関する。本方法は，移動体ルータ（ＭＲｘ）の接続時及び帰属サイト（Ｓ１）への信号送信（Ａ）時に，帰属組織の対応するサイトに関して，移動体ルータ（ＭＲｘ）の位置を識別する（Ｂ）ステップと，次に移動体端末（Ｔｘ）の各接続要求（Ｃ）に対して，局所マルチキャスト同報通信（ＡＤ（ＧＲ））を無数の位置（ＬＩ）へ送信するステップと，位置情報（ＬＩ）が帰属組織から到来する，対応するサイトの外部にある移動体ルータ（ＭＲｘ）への接続を指定しているときは，接続要求を拡張マルチキャスト通信への接続要求で置換する（Ｄ，Ｆ，Ｇ）ステップと，拡張マルチキャスト同報通信への接続要求を送信する（Ｈ）ステップと，移動体ルータ（ＭＲｘ）レベルにおいて，拡張マルチキャスト同報通信を受信して局所変換マルチキャスト同報通信（ＭＦ（ＧＲ））に変換するステップと，ＩＰ移動体ネットワーク上の局所変換マルチキャスト同報通信を要求ユーザ端末（Ｔｘ）に送信するステップと，を含む。応用は，企業内移動体ＩＰネットワークの管理である。
2008524894.tif 000002
【特許請求の範囲】
【請求項１】
任意のユーザ端末の任意のマルチキャスト通信への接続要求を制御及び送信する機能を有する移動体ルータを介して，移動体ＩＰネットワークの少なくとも１つのユーザ移動体端末へマルチキャスト通信を行う方法であって，前記移動体ルータが前記ＩＰネットワークに接続した後，及びこの移動体ルータから自己の帰属サイトへ信号通知メッセージを送信した後に，
前記帰属サイトにおける，
自己の帰属サイト及び対応する自己の帰属組織に関連する前記移動体ルータの位置を，前記位置メッセージを用いて識別する識別ステップ，及び
位置識別情報のアイテムを前記移動体ルータに送信する送信ステップ，
並びに
前記移動体ルータにおける，前記帰属サイトに向けられ，前記移動体端末の帰属サイト及び対応する帰属組織の局所マルチキャスト通信に関連するグループマルチキャスト通信への接続を要求する前記移動体ＩＰネットワーク上の要求ユーザ移動体端末の任意の接続要求に対して，
前記位置識別情報が，自己の帰属サイト及び対応する自己の帰属組織の外部にある移動体ルータへのコネクションを示すとき，前記接続要求を，前記局所マルチキャスト通信への接続を提供する拡張マルチキャスト通信への接続要求に置換するステップと，
前記帰属サイトに前記拡張マルチキャスト通信への前記接続要求を送信するステップと，
前記拡張マルチキャスト通信を前記移動体ルータにおいて受信し，局所変換マルチキャスト通信に変換するステップと，
前記移動体ＩＰネットワークを介して，前記局所変換マルチキャスト通信を少なくとも前記要求ユーザ移動体端末に送信するステップと，
を少なくとも含むことを特徴とする方法。
【請求項２】
前記帰属サイトにおいて実行される前記識別ステップ及び送信ステップを，前記移動体ルータの，自己の帰属サイト，自己の帰属組織，又は公衆インターネットに対するコネクション位置を表す位置変数を生成するために，前記移動体ルータにおいて，前記移動体ルータのコネクションを探索する手続を実行するステップによって置換することを特徴とする請求項１に記載の方法。
【請求項３】
前記移動体ＩＰネットワーク上の要求ユーザ移動体端末がマルチキャスト通信の第１アドレスのマルチキャスト通信への接続要求をしたとき，前記移動体ルータがこの接続要求を送信する前に，
１）前記第１アドレスへ接続することによって提供されるマルチキャスト通信の種別を識別するステップと，
２−１）前記第１アドレスが大域マルチキャスト通信のアドレスであるとき，前記移動体ルータが通常の接続要求メッセージを送信することによって，前記第１アドレスへの接続要求を直接送信するステップ，又は
２−２）前記第１アドレスが前記要求ユーザ移動体端末の帰属組織の局所同報アドレスであるとき，前記位置変数を用いて前記移動体ルータのコネクション位置を識別するステップであって，このコネクション位置によって，
Ａ−１）前記移動体ルータが自己の帰属組織に属しているネットワークに接続されていることが分かったとき，通常の接続要求メッセージを送信することによって前記第１アドレスに対する接続要求を直接送信するステップ，又は
Ａ−２）前記移動体ルータが自己の帰属組織に属していないネットワークに接続されていることが分かったとき，前記移動体ルータから移動している移動体端末による接続を管理する前記要求ユーザ移動体端末の帰属サイトの計算機へ，前記移動体ルータの局所アドレスで接続可能な大域マルチキャスト通信の第２アドレスへの遠隔接続を要求するメッセージを送信し，前記移動体ルータが前記第２アドレスを受信した後に，前記第２アドレスから発せられる前記大域マルチキャスト通信ストリームを視聴契約するステップと，
Ｂ）前記第２アドレスから受信した前記大域マルチキャスト通信ストリームを，前記第１アドレスで前記移動体ＩＰネットワーク上で局所的に接続可能な局所変換マルチキャスト通信ストリームに変換するステップと，
Ｃ）前記移動体ルータから少なくとも前記要求ユーザ移動体端末へ，前記局所変換マルチキャスト通信ストリームを送信するステップと，
を含むステップと，を少なくとも含むことを特徴とする請求項１又は２に記載の方法。
【請求項４】
前記第１アドレスが，前記要求ユーザ移動体端末の帰属サイトの局所同報アドレスであるとき，前記位置変数を用いて前記移動体ルータのコネクション位置を識別するステップであって，このコネクション位置によって，
１）前記移動体ルータが自己の帰属サイトに属しているネットワークに接続されているとき，通常の接続要求メッセージを送信することによって，前記第１アドレスに接続要求を直接送信するステップ，又は
前記移動体ルータが，自己の帰属サイトに属していない別のネットワークに接続されていることが分かったとき，
２−１）前記移動体ルータから移動する移動体端末の接続を管理する前記要求ユーザ移動体端末の帰属サイトの計算機へ，前記移動体ルータの位置アドレスで接続可能な大域マルチキャスト通信の第２アドレスへの遠隔接続を要求するメッセージを送信し，前記移動体ルータが前記第２アドレスを受信した後，前記第２アドレスから発せられる前記大域マルチキャスト通信ストリームを視聴契約するステップと，
２−２）前記第２アドレスから受信した前記大域マルチキャスト通信ストリームを，前記第１アドレスで前記移動体ＩＰネットワーク上で局所的に接続可能な局所変換マルチキャスト通信ストリームに変換するステップと，
２−３）前記移動体ルータから少なくとも前記要求ユーザ移動体端末へ，前記局所変換マルチキャスト通信ストリームを送信するステップと，
を含むステップ，
を更に含むことを特徴とする請求項３に記載の方法。
【請求項５】
前記移動体ルータが送信した遠隔接続要求メッセージは，大域マルチキャスト通信要求メッセージ，又は前記要求ユーザ移動体端末の帰属組織の局所マルチキャスト通信に対する局所マルチキャスト通信要求メッセージのいずれかによって形成される拡張マルチキャスト通信への接続要求とすることを特徴とする請求項３又は４に記載の方法。
【請求項６】
自己の帰属結合ネットワークの内部及び／又は外部で動作できる移動体ルータに対して，帰属結合サイトによって，この移動体ルータからこの帰属結合ネットワークに属しているサイトへの任意のネットワークコネクションの内部永続アドレスと，この端末からこの帰属組織に属している別のサイトへの任意のネットワークコネクションの内部一時アドレスと，が前記移動体ルータに割り当てられ，かつ，前記帰属組織に属さない任意の外部サイトによって，前記移動体ルータから前記外部サイトへの任意のネットワークコネクションの外部一時アドレスが前記移動体ルータに割り当てられ，前記の各アドレスは前記移動体ルータに対して位置参照子の役割をし，自己の帰属サイト及び対応する自己の帰属組織に関連する前記移動体ルータの位置を識別する前記識別ステップは，
識別のために，前記位置参照子と，少なくとも，この帰属結合ネットワークに結合されこの帰属結合ネットワーク内で動作できる移動体ルータ集合に割り当てられた内部永続アドレス集合，及び前記帰属組織に属している別のサイトへの任意のコネクションのためにこの移動体ルータ集合に割り当てられた内部一時アドレス集合によって形成される集合のうち１つのアドレス値と，を比較するステップと，
内部永続アドレス集合に前記位置参照子があったときは，前記移動体ルータから自己の帰属結合ネットワークへのコネクション，又は内部一時アドレス集合に前記位置参照子があったときは，前記ネットワーク移動体ルータから前記帰属組織に属している別のサイトへのコネクション，又は内部永続アドレス集合及び内部一時アドレス集合双方に前記位置参照子がなかったときは，前記ネットワーク移動体端末から前記帰属組織に属していない外部サイトへのコネクション，のいずれかを示す前記移動体ルータの位置識別情報を少なくとも確立するステップと，
を少なくとも含むことを特徴とする請求項１〜５のいずれか一項に記載の方法。
【請求項７】
前記移動体端末の帰属組織及び対応する帰属サイトの局所マルチキャスト情報通信であって，該局所マルチキャスト情報通信の第１アドレスに組み込まれた同報情報源によって生成された局所マルチキャスト通信を用いる拡張マルチキャスト通信への接続要求を送信する前記送信ステップは，
前記移動体ルータから前記帰属サイトへ，少なくとも局所マルチキャスト情報通信の第１アドレス及び前記移動体ルータの識別符号を含む拡張マルチキャスト情報通信要求メッセージを送信するステップと，
前記帰属サイトが前記移動体ルータを識別した後に，前記帰属サイトから前記移動体ルータへ，前記帰属サイトに同報情報源がある大域マルチキャスト情報通信の第２アドレスを少なくとも含む接続オファーメッセージを送信するステップと，
前記移動体ルータが前記接続オファーメッセージを受信した後に，前記移動体ルータから前記帰属サイトへ，大域マルチキャスト情報通信の第２アドレスで同報する情報に接続するための接続オファー受付メッセージを送信するステップと，
前記帰属サイトにおいて前記接続オファー受付メッセージが受信された後に，前記第１同報アドレスから前記第２同報アドレスへ，同報する情報を転送するステップと，
局所マルチキャストモードにおいては前記第１アドレス下で同報し，大域マルチキャストモードにおいては前記第２アドレス下で同報する情報を前記サイト上で受信するために，前記第２アドレス下で同報する情報を大域マルチキャスト通信によって送信し，それによって前記移動体ルータが前記帰属サイト及び対応する前記帰属組織に属していないサイトに相互接続できるようにするステップと，
を含むことを特徴とする請求項５又は６に記載の方法。
【請求項８】
移動体ルータであって，該移動体ルータが管理する移動体ＩＰネットワークに接続されている任意のユーザ移動体端末による接続要求を制御し，送信する機能を備え，この移動体ＩＰネットワークは，この移動体ＩＰネットワークと相互接続された少なくとも１つのユーザ移動体端末を含み，
前記の要求ユーザ移動体端末が送信した任意のマルチキャスト通信への接続要求が要求するマルチキャスト通信の種別を識別する手段と，
自己の帰属サイト及び対応する自己の帰属組織の外部にある移動体ルータのコネクションの位置変数によって，前記移動体端末の帰属サイト及び対応する帰属組織の局所マルチキャスト通信に関連する，前記帰属サイトのグループマルチキャスト通信への任意の接続要求を，前記局所マルチキャスト通信への接続を提供する拡張マルチキャスト通信への接続要求に置換する手段と，
任意の受信拡張マルチキャスト通信を局所変換マルチキャスト通信に変換する変換手段と，
を少なくとも含むことを特徴とする移動体ルータ。
【請求項９】
前記受信拡張マルチキャスト通信を局所変換マルチキャスト通信に変換する前記変換手段は，大域マルチキャスト通信のアドレスを局所変換マルチキャスト通信のアドレスで置換する置換手段を備えることを特徴とする請求項８に記載の移動体ルータ。
【請求項１０】
前記移動体ルータはＩＰメッセージを送信及び受信する手段を備え，前記の受信手段は少なくとも前記接続オファーメッセージ内の位置情報及び前記拡張マルチキャスト通信を受信することができ，前記の送信手段は少なくとも，前記拡張マルチキャスト情報通信要求メッセージと，前記接続オファー受付メッセージと，前記移動体ＩＰネットワークを介した前記局所変換マルチキャスト通信ストリームと，を少なくとも前記要求ユーザ移動体端末に送信できることを特徴とする請求項８又は９に記載の移動体ルータ。
【請求項１１】
記憶媒体に記録され，ソフトウェアエージェントの形態で計算機によって実行可能なプログラム製品であって，
位置識別情報を受信し，
前記位置識別情報が，自己の帰属サイト及び対応する自己の帰属組織の外部にある移動体ルータへのコネクションを示すとき，ＩＰネットワーク上の要求ユーザ移動体端末による接続要求を，局所マルチキャスト通信への接続を提供する拡張マルチキャスト通信への接続要求に置換し，
前記帰属サイトに，前記拡張マルチキャスト通信への接続要求を送信し，
前記拡張マルチキャスト通信を，前記移動体ルータにおいて受信し，局所変換マルチキャスト通信に変換し，
前記モバイルＩＰネットワークを介して，前記局所変換マルチキャスト通信を少なくとも前記要求ユーザ移動体端末へ送信する，
ように設定された少なくとも１つのソフトウェアモジュールを含むことを特徴とするプログラム製品。
【請求項１２】
前記の変換ソフトウェアモジュールは，大域マルチキャスト通信のアドレスを，局所変換マルチキャスト通信のアドレスで置換するための少なくとも１つの置換モジュールを含むことを特徴とする請求項１１に記載のプログラム製品。
【発明の詳細な説明】
【技術分野】
【０００１】
本発明は，移動体ＩＰネットワーク上の各移動体ユーザ端末に，それらの帰属サイトの局所マルチキャスト通信を同報する方法に関する。
【背景技術】
【０００２】
この方法は本発明の主題であって，少なくとも部分的に移動体ＩＰネットワークによって形成される通信ネットワークを備えた，恐らくは複数サイトエンティティである，任意のエンティティを利するように実施されることを意図したものである。
【０００３】
そのようなエンティティは，例えば公共交通運用会社であってよく，車両，バス，路面電車，列車，及び特殊車両さえもが，どこからでもＩＰネットワークに接続できる移動する移動体端末を備える。そのようなエンティティはまた，ＩＰマルチキャスト通信リソースを有することができると考えられる。
【０００４】
このエンティティ，すなわち複数サイトを有する企業かもしれない企業の運用するネットワークは，ＩＰネットワークであってマルチキャスト通信処理を実装できる。
【０００５】
勧告ＲＦＣ２３６５を参照すると，マルチキャスト通信には３つの種別があることが思い起こされる。
【０００６】
帰属サイトに属し，登録された任意のユーザ移動体端末について，上述のマルチキャスト通信種別は次のとおりである。
・帰属サイトの私的同報通信，またサイト局所同報通信とも呼ばれ，この帰属サイトのユーザだけに提供され，この帰属サイトにおいてだけ参照できる。どのような状況下でも，これらの同報通信は同一組織に属している１つのサイトからもう１つのサイトに回送されることはない。
・帰属組織の私的同報通信であって，普通エンティティすなわち企業の私的又は局所的通信であり，組織局所同報通信とも呼ばれる。どのような状況下でも，これらの同報通信は帰属組織の外部に回送されることはない。
・大域（ｇｌｏｂａｌ）同報通信。これらの同報通信は公衆ＩＰネットワーク，特にインターネットを介して同報できる。
【０００７】
上述の種々のマルチキャスト通信種別は，あるサイト及びある帰属組織に属しているどの移動体端末に対しても，移動体端末がＩＰネットワークに接続する場所によって視聴契約（ｓｕｂｓｃｒｉｐｔｉｏｎ）条件とも呼ばれる接続制限に関して非常に強固な制約を伴う。
【０００８】
本発明の１つの態様は，ある帰属サイトに関連する任意のユーザ移動体端末が，それらが実際に接続している帰属組織及び／又は帰属サイトに対する移動体ＩＰネットワークの位置によって，所望の同報通信に自動的に接続又は視聴契約できるようにする方法を定義及び確立することである。
【０００９】
本発明による方法の別の態様は，ＩＰマルチキャスト通信及びＮＥＭＯ（ネットワーク移動性）処理を実現することであり，この処理は移動体ＩＰ技術を用い，エンティティすなわち企業の移動体ＩＰネットワークによってＮＥＭＯ技術を実現する。
【００１０】
ＮＥＭＯ技術に関連して，図１ａを参照すると次のことが思い起こされる。
【００１１】
上述の技術は，移動性がインターネットへの結合すなわち接続の時点で変化する移動体端末のＩＰネットワークへの接続を扱う。
【００１２】
特に列車又は航空機による交通分野においては，そのようなシナリオはどの車内機内実装においても普通に見ることができる。ＮＥＭＯ技術においては，この接続構成においてネットワークを形成する装置及びリソースは，移動体ルータＭＲと呼ばれる少なくとも１つの装置によってインターネットに接続されたグループと考えられる。
【００１３】
ＮＥＭＯ技術の１つの基本的な事前想定は，これらの接続条件において形成されたネットワーク種別は，常に「葉（ｌｅａｆ）」又は終端ネットワークと呼ばれるネットワーク，すなわち後者が接続される２つの別々のネットワーク間で情報を搬送する役割を決して想定しないネットワーク，である。
【００１４】
しかしそのような規則は，そのような移動体ネットワークが，例えば別の技術を用いた無線接続端末によるいくつかの接続インタフェースを有する移動体ルータを介して，又はいくつかの別々の移動体ルータを介して，インターネットに対してしばしばいくつかの接続点を有することを認識していない。
【００１５】
図１ａを参照し，無線リンクによってインターネットと接続された列車のようないくつかの接続移動体端末を含む移動体ネットワークの場合は，列車が移動するとリンクが変わる。したがって列車からインターネットへの結合点すなわち接続点は変化し，移動体ルータＭＲが接続されているサブネットワークの構成にＩＰレベルの修正をもたらす。ＮＥＭＯ技術は，特に外部との間で行われる通信及び処理を維持できるように，この変化を管理し，この移動体ネットワークに接続された移動する移動体端末に対して透過的にできる。
【００１６】
実際にはＮＥＭＯ技術は，列車と，列車が搬送する移動体端末と，によって形成される移動体ネットワークの移動体ルータＭＲと，サイトのＮＥＭＯ技術においては帰属エージェントとも呼ばれる結合帰属点ＨＡとの間に通信トンネルＴＵを確立する。この通信トンネルは，必要であれば中間結合点ＲＡを介して実現され，次に移動体ルータＭＲが通信及び処理を維持するために用いる。図１ａの例においては，帰属エージェントＨＡは列車の出発駅にあってもよい。したがって通信トンネルは，移動体ネットワークが移動し，特に結合点ＲＡ，ＲＡ’を変更すると，成功裏に修正される。
【００１７】
移動体ネットワークの移動性は移動体ルータＭＲが管理し，したがって移動体ネットワークに属している移動体端末には完全に透過的である。移動体端末が実行する通信及び処理は，この変化にもかかわらず，これらの移動体端末が帰属サイトにあり，帰属サイトに接続されているかのように続けられる。
【００１８】
特にマルチキャストストリームの管理に関しては，移動体端末は要求を通常は移動体ルータＭＲに送信し，上述のマルチキャストストリームは移動体ルータＭＲとその帰属エージェントＨＡとの間のトンネルを通って流れる。
【００１９】
上述したＮＥＭＯ技術の動作方法は，移動体ネットワークに属している移動体端末の帰属サイトの局所同報通信への接続を提供する。しかし通信及び処理の情報はマルチキャスト通信ツリーを何も利用せず，インターネットへの結合の中間接続点に対する移動体ルータＭＲの位置と同じ数の継続トンネルを利用するので，移動体端末はマルチキャスト機能を十分に利用していない。
【００２０】
ＮＥＭＯ技術におけるマルチキャスト通信の改善を提案する種々の開発が計画されてきた。
【００２１】
第１の開発はモトローラ社によって提案されたものであり，一方でＮＥＭＯ技術の動作方法を改善し，他方で移動体ＩＰネットワーク内の移動体端末にマルチキャストストリームを配信することを展望した。この開発が推奨する解決方法は，図１ｂに示すように，移動体ルータＭＲにおいてＩＧＭＰ／ＭＬＤプロキシ機能を導入するものである。その機能は，次に示すインターネットサイト
http://www.ietf.org/internet-drafts/draft-ietf-magma-igmp-proxy-04.txt
から入手できるＩＧＭＰプロキシ仕様書において，固定ルータ用に記載されたとおりである。移動体ネットワーク上の端末は，ＲＩＧＭＰ／ＭＬＤ要求を介して移動体ルータＭＲ及びインターネットに接続する。
【００２２】
上述の解決方法は，移動体ルータＭＲが接続しているネットワークから移動体ＩＰネットワーク内のマルチキャストグループのメンバに関する情報を収集できるようにし，それによって次に，自己の名前，自己のＩＰアドレスを用いてこれらのグループに接続又は視聴契約できるようにする。後のステップについて移動体ルータＭＲは，在圏（ｖｉｓｉｔｅｄ）ネットワーク内の移動体ネットワークＭＮ上の移動体端末又は固定端末によって形成された移動体ノードとして振る舞い，動作するであろう。
【００２３】
この解決方法はＬＩＶＳＩＸ  ＩＰｖ６スタック上で，ＯｖｅｒＤｒｉＶＥプロジェクトの一部として試験された。その各技術面については，インターネットサイトhttp://www.ist-overdrive.org及びhttp://www.nal.motlabs.comでそれぞれ見ることができる。この解決方法は，２００３年１２月にイタリア，トリノにおいて開催された会議において公表され，その報告はインターネットサイトhttp://www.comnets.rwth-aachen.de/~o_drive/HyWiN2003/index.htmlにおいて見ることができる。最後にこの解決方法は，移動体ＩＰネットワーク上の移動体端末が接続又は視聴契約したい公衆マルチキャスト通信のマルチキャスト源ＭＳに直接接続することによって，移動体ルータＭＲと帰属エージェントＨＡとの間に通信トンネルを生成する必要がないようにする。
【００２４】
類似した内容の第２の開発は，本出願人名義で２００３年１２月１２日に出願された仏国特許出願ＦＲ０３  １４６３９，"Method and system for multicast broadcasting towards a roaming terminal according to the location thereof"の主題となっている。
【００２５】
この第２の開発の目的は，任意の固定ネットワークに接続されたローミング移動体端末を見付ける処理と，このローミング移動体端末が接続していないサイトに限定されたマルチキャスト通信に接続又は視聴契約する方法と，を組み合わせるために必要な操作方法を定義することである。
【００２６】
この開発は単一のローミング移動体端末にだけ適用できるものであり，接続又は視聴契約プロトコルが成功裏に実行されるためには，自己の位置を考慮に入れなければならない。
【００２７】
上述の仏国特許出願ＦＲ０３  １４６３９を参照して，第２の開発が実現する方法に本質的な態様をここで吟味する。
【００２８】
移動体端末がネットワークに接続するとき，その移動体端末が自己の帰属サイト又はネットワークに接続しているか，若しくは自己の帰属組織の別のサイトに接続しているか，若しくは公衆インターネット上の自己の帰属組織の外部にあるサイトに接続しているかを位置変数を用いて識別及び判定するために，このコネクションを見付ける処理が自動的に起動される。
【００２９】
移動体端末が，アドレスがＧであるマルチキャスト通信グループに接続又は視聴契約を要求したとき，前述の方法はアドレスＧを用いて要求された接続を管理する。
【００３０】
アドレスＧが大域マルチキャスト通信アドレスのときは，接続された移動体端末は通常通り接続又は視聴契約要求を接続点のアドレスＧへ送信する。
【００３１】
アドレスＧが自己の帰属組織の局所同報アドレスであるときは，端末は位置変数の値を考慮に入れる。すなわち，
・移動体端末が自己の帰属組織に接続していることが分かったときは，移動体端末は通常通り接続又は視聴契約要求をアドレスＧへ送信する。
・移動体端末が自己の帰属組織の外部に接続していることが分かったときは，移動体端末は自己の帰属組織の局所マルチキャスト通信に接続又は視聴契約する処理を開始し，移動する移動体端末の視聴契約を管理する自己の帰属サイトの計算機と連絡をとる。次にその計算機は，要求された接続又は視聴契約を提供する大域マルチキャスト通信の別のグループパブリックアドレスＧ２を返送する。移動体端末は，パブリックアドレスＧ２を有するＩＧＭＰ要求を送信する。
【００３２】
アドレスＧが自己の帰属サイトの局所マルチキャスト通信アドレスであるときは，端末は位置変数の値を考慮に入れる。すなわち，
・移動体端末が自己の帰属サイトに属しているネットワークに接続していることが分かったときは，移動体端末は通常通り接続又は視聴契約要求をアドレスＧに送信する。
・移動体端末が自己の帰属組織に属している別のサイト，又は自己の帰属組織に属していない別のサイトのネットワークに接続していることが分かったときは，移動体端末は自己の帰属組織の局所マルチキャスト通信に接続又は視聴契約する独自の処理を開始する。この処理は拡張マルチキャスト通信と呼ばれ，移動する移動体端末の視聴契約を管理する自己の帰属サイトの計算機と連絡をとる。次にその計算機は，要求された接続又は視聴契約を提供する大域マルチキャスト通信の別のパブリックグループアドレスＧ２を返送する。移動体端末はパブリックアドレスＧ２を有するＩＧＭＰ要求を送信する。
【００３３】
上述した第１及び第２の開発には，未解決の技術課題から生じる次の欠点がある。
【００３４】
ＮＥＭＯ技術によるマルチキャストストリームの既定処理における欠点は，どのマルチキャストストリームも，移動体ルータＭＲが接続しているネットワーク上にマルチキャスト通信ツリーを構築できることを何も利用しないで，帰属エージェントＨＡと移動体ルータＭＲとの間の通信トンネルを利用していることから生じる。
【００３５】
上述の第１の開発は，移動体ＩＰネットワーク上の端末にストリームを同報する真のマルチキャスト通信ツリーを最終的に構築することになる第１の回答をもたらす。この解決方法は大域モードマルチキャストストリームに特によく適合する。
【００３６】
この第１の開発が提案する解決方法の制約は，マルチキャスト通信の範囲が狭いとき，典型的には帰属サイト又は帰属組織の私的同報通信であるとき，すなわち最終的に企業ネットワーク内又はそのネットワーク上であるときに現れる。私的同報通信には適さない上述の第１の開発を用いると，マルチキャスト通信はそのままでは実行できない。
【００３７】
したがってこの状況において残された唯一の選択肢は，ＮＥＭＯ技術の既定処理，すなわち移動体ルータＭＲと帰属エージェントＨＡとを結ぶ通信トンネルを用い，結果的にマルチキャスト通信モードが提供する選択肢を用いないで，最終的に私的マルチキャスト通信を実行することである。
【００３８】
上述した，仏国特許出願ＦＲ０３  １４６３９の主題である第２の開発の欠点は，後者の技術的欠陥から生じるのではなく，別の技術課題に対する解決策だけから生じている。特にこの第２の開発においては，実際に実施された態様は多数の固定端末又は移動体端末を有することができる移動体ネットワークには適用されず，固定ネットワークに接続したローミング移動体端末に適用される。
【００３９】
上述の機構又は処理は，このローミング移動体端末が，接続していないサイトに制限された同報通信に視聴契約又は接続するためにコネクション位置を解決し，移動体端末の接続又は視聴契約を管理する帰属サイトの計算機を用いて，位置解決と，制限された同報通信への接続又は視聴契約処理と，をリンクできるようにする。したがってこの第２の開発が継決する技術課題は，ＩＰサブネットワークに結合された多数の端末に関するものとは基本的に異なる。ＩＰサブネットワークの特性は，全体の移動性環境によって変わる。特に移動体ネットワークの場合は，移動体ＩＰネットワークの枠組み内の移動する移動体端末又は固定された移動体端末であって後者に接続された移動体端末は，ネットワークの移動性について何も意識せず，その移動性は移動体ルータＭＲにおいてすべて管理される。
【発明の開示】
【発明が解決しようとする課題】
【００４０】
本発明の１つの目的は，先行技術である第１及び第２の開発の欠点及び制約を処理することであり，それでもこれらの開発によって実現された処理のいくつかの態様を利用するものである。
【００４１】
特に本発明の１つの目的は，任意の移動する情報用移動体ルータの運用操作範囲，及びこれらのサブネットワークに属している任意の受信移動体端末及び情報源移動体端末への私的マルチキャスト通信の双方を最適化された方法で管理する方法を実現することである。
【００４２】
本発明の別の目的は，移動体ＩＰネットワークに属している固定した又は移動する移動体端末が，それが接続している移動体ＩＰネットワークの位置によって，局所又はそうでない所要の同報通信に自動的に視聴契約又は接続できるようにする方法及び関連する操作処理を実現することである。
【００４３】
本発明の別の目的は，固定ＩＰネットワークの場合のように完全に透過的に上述の方法を実装する移動体ルータを実現することであり，このマルチキャスト通信処理は移動体ＩＰネットワークに接続したユーザ端末をどこに接続しているかにかかわらず利用するために実装される。
【００４４】
任意ユーザ端末の，任意マルチキャスト種別同報通信への接続要求を制御及び送信する機能を備えた移動体ルータを介して，移動体ＩＰネットワーク上の少なくとも１つのユーザ移動体端末へのマルチキャスト通信方法は，本願発明の主題であって，この移動体ルータがＩＰネットワークに接続した後，及び信号通知メッセージをこの移動体ルータから自身の帰属サイトに送信した後，この方法はこの帰属サイトにおいて，自己の帰属サイト及び対応する自己の帰属組織に関連したこの移動体ルータの位置を識別するステップと，この移動体ルータに位置情報アイテムの１つを送信するステップと，を含むことに注目されたい。更にこの方法はこの移動体ルータにおいて，この要求移動体端末の帰属サイト及び対応する帰属組織の局所マルチキャスト通信に関連するグループマルチキャスト通信へ接続要求する移動体ＩＰネットワーク上のユーザ移動体端末の任意の接続要求に対して，この位置識別情報が，帰属サイト及び対応する帰属組織の外部にあるこの移動体ルータのコネクションを示すとき，この接続要求を，この局所マルチキャスト通信への接続を提供する拡張マルチキャスト通信への接続要求に置換するステップと，この帰属サイトに拡張マルチキャスト通信へのこの接続要求を送信する送信ステップと，この拡張マルチキャスト通信をこの移動体ルータにおいて受信し，局所変換マルチキャスト通信に変換するステップと，上記移動体ＩＰネットワークを介して，この局所変換マルチキャスト通信を少なくともこの要求ユーザ移動体端末に送信するステップと，を含む。
【００４５】
本発明の別の目的は，移動体ＩＰネットワークに接続された任意のユーザ移動体端末の，この移動体ルータが管理する任意のマルチキャスト種別の同報通信への接続要求を制御及び送信する機能を備えた移動体ルータを実現することである。ここでこの移動体ネットワークは少なくとも１つの接続しているユーザ移動体端末を含むものである。移動体ルータは，この要求ユーザ移動体端末が送信したマルチキャスト通信の種別を識別するモジュールと，自己の帰属サイト及び対応する自己の帰属組織の外部にあるこの移動体ルータのコネクションの位置変数によって，この移動体端末の帰属サイト及び対応する帰属組織の局所マルチキャスト通信に関連する，帰属サイトのグループマルチキャスト通信への任意の接続要求を，この局所マルチキャスト通信への接続を提供する拡張マルチキャスト通信への接続要求に置換するモジュールと，任意の受信拡張マルチキャスト通信を局所変換マルチキャスト通信に変換する変換モジュールと，を少なくとも含むことに注目されたい。
【００４６】
移動体ＩＰネットワーク上の少なくとも１つのユーザ移動体端末への専用移動体ルータを介したマルチキャスト通信方法は，本発明の主題であって，特に鉄道車両群などのような企業移動体ＩＰネットワークに接続された移動体端末のＩＰネットワークを用いる通信の管理に適用される。
【発明を実施するための最良の形態】
【００４７】
以降の記載を読み，先行技術に関する図１ａ及び１ｂに加え，残りの添付の図面を吟味すれば，上記はより明確に理解できるであろう。
【００４８】
本発明の主題による，移動体ＩＰネットワーク上の少なくとも１つのユーザ移動体端末へのマルチキャスト通信方法を，ここで図２ａを参照してより詳細に説明する。
【００４９】
上述の図面を参照するに当たり，移動体端末Ｔは帰属サイトＳ１及びもちろん帰属組織Ｏ０に属しており，この移動体端末は，後者のユーザＵの動きに応じて特に移動体ネットワークＭＮ及び後者に関連する移動体ルータＭＲを介して，外部サイトＳｘに導かれ，上述の移動体ルータＭＲを介して外部サイトＳｘに接続されていると考える。
【００５０】
一般に外部サイトＳｘは，移動体ルータＭＲが結合されている帰属サイト及び／又は帰属組織Ｏ０に属していてもよいし，属していなくてもよい。
【００５１】
図２ａを参照すると，移動体ルータＭＲからサイトＳｘへの接続ステップＡは，端末ＴのユーザＵが選択して行うものとは独立に表現されており，したがって移動体ルータＭＲは，単にこの移動体ルータから上述の外部サイトＳｘへのコネクションによって，ＭＲｘのラベルを付されている。
【００５２】
単にこのコネクションによって，そして通常通り，接続された移動体ルータＭＲｘは，必要なときにこの移動体ルータから帰属サイトＳ１へ信号通知要求メッセージを送信する立場にある。この信号通知メッセージはＲＭ（ＬＲ）と記す。そのようなメッセージは，移動体ルータが自己の帰属リンク又は帰属サブネットワークに接続しているときには不要である。
【００５３】
非限定的な例として，上述の信号通知メッセージにおいてパラメータＬＲは，例えば，移動体ルータＭＲｘを有するサイトＳｘ，すなわち外部サイトＳｘによって，特に前述の外部サイトＳｘの管理者によって割り当てられたＩＰアドレスによって形成された位置参照子を表す。
【００５４】
信号通知メッセージＲＭ（ＬＲ）が送信された後，本発明の主題である本方法は帰属サイトＳ１において，そしてこの信号通知メッセージが受信された後，ステップＢにおいて，前述の信号通知メッセージを用いて，自己の帰属サイトＳ１及び対応する自己の帰属組織Ｏ０に関連する移動体ルータＭＲｘの位置を識別するステップを含む。ここで識別とは，本明細書で後述するように，位置識別情報アイテムＬＩの確立を意味するものと理解されたい。
【００５５】
識別ステップは次に，移動体ルータＭＲｘが識別された位置情報を用いることができるように，上述の位置識別情報アイテムＬＩを移動体ルータＭＲｘに送信するステップへ続く。
【００５６】
次に上述のステップＢは，移動体ルータＭＲｘにおける，帰属サイトＳ１に向けられ，移動体ルータＭＲｘの帰属サイト及び対応する帰属組織の局所マルチキャスト通信に関連するグループマルチキャスト通信への接続に対する移動体端末の任意の接続要求であって，接続要求はＡＤ（ＧＲ）によって記され，ＧＲは実際に帰属サイトにおけるグループマルチキャスト通信のアドレスを示す接続要求に対して，図２ａの示すようにステップＤと，Ｆと，Ｇと，Ｈとにおいて，一方では接続要求ＡＤ（ＧＲ）が移動体端末の帰属サイトＳ１及び対応する帰属組織Ｏ０の局所マルチキャスト通信に関連するとき，他方では位置識別情報アイテムＬＩが自己の帰属サイトＳ１及び対応する自己の帰属組織Ｏ０の外部にある移動体ルータＭＲｘのコネクションを示すとき，接続要求ＡＤ（ＧＲ）を拡張マルチキャスト通信への接続要求で置換するステップに続く。
【００５７】
特に上述の置換によって，移動体ルータＭＲｘの帰属サイトＳ１及び対応する帰属組織Ｏ０の局所マルチキャスト通信に関連する任意の接続要求は，自己の帰属サイト及び対応する自己の帰属組織の外部にある移動体ルータに接続している外部サイトＳｘからは利用できないが，一方で拡張マルチキャスト通信への接続要求は，当該移動体ルータの帰属サイト及び対応する帰属組織の局所マルチキャスト通信に接続できることが分かる。
【００５８】
上述の置換ステップは次に，本明細書の後段で説明する拡張マルチキャスト通信への接続要求を帰属サイトへ送信するステップＩに続く。
【００５９】
特に拡張マルチキャスト通信への接続要求はＡＲ（ＧＲ２）と記され，上述の置換操作は，本明細書の後段でより詳細に説明するように，グループマルチキャスト通信への接続要求におけるアドレスＧＲを，類似のデータを同報できる拡張マルチキャスト通信のアドレスＧＲ２で置換するステップを含むことに注目されたい。
【００６０】
上記のステップは，拡張マルチキャスト通信を受信し，移動体ルータＭＲｘにおける局所マルチキャスト通信に変換するステップＪに続く。この操作は次の関係式によって表すことができる。
ＭＦ（ＧＲ２）
ＭＦ（ＧＲ２）→ＴＭＦ（ＧＲ）
【００６１】
ステップＪは，局所変換マルチキャスト通信ＴＭＦ（ＧＲ）を移動体ＩＰネットワークを介して要求ユーザ移動体端末へ送信するステップＫに続く。このステップは，図２ａにおいて関係式ＴＭＦ（ＧＲ）→Ｔｘで示されている。
【００６２】
本発明の主題である方法の第１実施例においては，上述の置換操作を図２ａに示すように管理できることに注目されたい。
【００６３】
接続要求の後，Ｔｘで記される移動体端末Ｔは，ユーザＵが選択したときだけステップＣを処理する。置換操作は，グループマルチキャスト通信への接続要求におけるアドレスＧＲについての識別検査Ｄを実行するステップを含むことができ，ステップＤの検査は上述のアドレスＧＲが大域アドレスＧＡ，組織局所グループアドレスＧｌ０，又は帰属サイトの局所的なサイト局所グループアドレスＧｌｓかどうかを識別するステップを含む。
【００６４】
ステップＤの検査を実施するために，グループマルチキャスト通信への接続要求におけるアドレスＧＲの値は，大域接続アドレスＧＡと，組織局所グループアドレスＧｌ０と，対応するサイト局所グループアドレスＧｌｓと，の値を確立する規則に関する値によって単純に識別されることに注目されたい。
【００６５】
大域アドレスＧＡと，組織局所アドレスＧｌ０と，対応するサイト局所アドレスＧｌｓとは，非限定的な例として，帰属サイトＳ１の管理者が，比較によって単純に識別できるように非連続な数値範囲で指定したアドレス値に対応することに注目されたい。
【００６６】
接続要求におけるアドレスＧＲが大域アドレスＧＡ集合に属しているかどうかに関する応答が，図２ａにおいて”ｙｅｓ”（はい）と示されている肯定応答であったときは，グループマルチキャスト通信への接続要求はステップＥにおいて，ＡＲ（ＧＲ）と記された接続要求の形態で直接送信される。グループマルチキャスト通信要求は，マルチキャスト通信の大域性によって，コネクションサイトＳｘの位置にかかわらず移動体ルータＭＲｘ及び移動体端末Ｔｘによって処理される。
【００６７】
グループマルチキャスト通信要求内のアドレスＧＲが大域アドレスでないときは，帰属組織Ｇｌ０の局所グループマルチキャスト通信又は帰属サイトＧｌｓの局所グループマルチキャスト通信のいずれかのアドレスに対応する。
【００６８】
このシナリオは図２ａの検査Ｄにおいて記号で表されており，アドレスＧＲが帰属組織Ｇｌ０に対する大域アドレスであるときは応答”ｙｅｓ ｂｕｔ”（はい，しかし），アドレスＧＲが反対にサイト大域アドレスＧｌｓであるときは応答”ｎｏ”（いいえ），の記号で表される。検査Ｄへの応答”ｙｅｓ ｂｕｔ”及び”ｎｏ”で表される上記２つのシナリオにおいては，コネクション位置，より詳細には外部サイトＳｘ上の移動体ルータＭＲｘのサイト位置，についての知識が必要である。
【００６９】
したがって検査Ｄに対する”ｙｅｓ ｂｕｔ”及び”ｎｏ”の応答は，次にステップＢにおいて帰属サイトＳ１が移動体ルータＭＲｘに送信した位置情報アイテムＬＩを呼び出すステップＦに続く。
【００７０】
ステップＦは次に，移動体端末が帰属サイトではないが対応する帰属組織Ｏ０に属しているサイトに接続しているとき，グループマルチキャスト通信要求におけるアドレスＧＲが帰属組織の局所大域アドレス集合に属しているかどうかと，グループ同報要求におけるアドレスＧＲが帰属サイトの局所大域アドレス集合に属しているかどうかと，移動体ルータＭＲｘが後者に接続しているかどうかと，を判定することを目的とするステップＧに続く。
【００７１】
したがってステップＧの検査によって次の論理関係式が構築される。
ＬＩ∈Ｏ０  かつ  ＧＲ∈Ｇｌ０
ＬＩ∈Ｓ１  かつ  ＧＲ∈Ｇｌｓ
【００７２】
上述の論理関係式のいずれか１つが肯定されたときは，グループマルチキャスト通信ＡＤ（ＧＲ）への接続要求が，図２ａのステップＥにおける接続要求ＡＲ（ＧＲ）の形態による同一のアドレスＧＲへの接続要求の形態で準備される。
【００７３】
しかし，ステップＧの検査において双方の論理関係式が否定されたときはステップＨが呼び出され，移動体ルータＭＲｘに接続している外部サイトＳｘ上では受信できないグループマルチキャスト通信への接続要求におけるアドレスＧＲを，前述のサイトＳｘにおいて前述のグループマルチキャスト通信を受信させるアドレスＧＲ２で置換する。
【００７４】
ステップＨは次にアクセス要求ＡＲ（ＧＲ２）を送信するステップを含むステップＩに続き，ＡＲ（ＧＲ２）ではグループマルチキャスト通信のアドレスが，外部サイトＳｘに接続されている移動体ルータＭＲｘから利用できない局所マルチキャスト通信にもちろん接続できる拡張マルチキャスト通信へのアドレスＧＲ２で置き換えられている。
【００７５】
ステップＨにおいて行われる置換操作の方法は，本明細書の後段で説明する。
【００７６】
図２ａにおいて，一方では位置参照子ＬＲが，他方ではグループマルチキャスト通信におけるアドレスＧＲが，当然，移動体ＩＰネットワーク及び後者に関連した移動体ルータの動きに応じた，ユーザＵの判断だけにおおむね任された独立な変数であることが一般に分かるであろう。
【００７７】
このため，必要であればステップＤ，Ｆ，Ｇの順序を本発明の主題の範囲から逸脱することなく入替えできることはもちろん考え得ることであり，位置参照子ＬＲが帰属組織及び対応する帰属サイトに属しているかどうかの識別は，例えばグループマルチキャスト通信要求のアドレスＧＲの値を識別する前に行うことができる。
【００７８】
このような入替えは，当業者の権限に属しているものであるから説明は省く。
【００７９】
図２ａのステップＤ及びＧに示した論理ステップの実施に関しては図２ｂに示すように実施できる。ステップＤは実際には２つの連続する検査Ｄ１及びＤ２に分割できる。サブステップＤ１においてグループマルチキャスト通信アドレスＧＲをグループ大域アドレスＧＡ集合と比較し，上述のサブステップにおいて否定応答が得られたときは，サブステップＤ２を呼び出してグループアドレスＧＲが組織局所グループアドレスＧｌ０集合に属しているかどうかを検査する。サブステップＤ２において肯定応答が得られたときは，図２ａのステップＤの応答”ｙｅｓ  ｂｕｔ”のシナリオに帰着し，サブステップＤ２において否定応答が得られたときは，図２ａのステップＤの検査に対する否定応答”ｎｏ”のシナリオに帰着する。
【００８０】
図２ａにおけるステップＧもまた，位置参照子ＬＲが帰属組織Ｏ０に属しているかどうか，又は対応する帰属サイトＳ１に属しているかどうか，に関係する２つのサブステップＧ１及びＧ２に分割できる。
【００８１】
次にステップＥと，Ｆと，Ｈと，Ｉとが，図２ａの場合と同一の方法で呼び出される。
【００８２】
本発明の主題によって移動体ルータＭＲｘの帰属サイト及び／又は帰属複数サイト組織に関連するコネクションサイトＳｘを識別する独自の処理を，ここで図３ａ，３ｂ及び３ｃを参照してより詳細に説明する。
【００８３】
図３ａに，例えば３つのサイトＳ１，Ｓ２，Ｓ３を含む帰属複数サイト組織Ｏ０を示す。サイトＳ１は，例えばＩＰネットワークである構内ネットワークに対応する帰属サイトであって，複数のルータＲ１１，Ｒ１２，Ｒ１３及び上述の帰属複数サイト組織Ｏ０を管理するサーバＳを含む。
【００８４】
サイトＳ２は，例えばサイトＳ１の帰属結合ネットワークの役割をする構内ネットワークに接続された局所ＩＰサブネットワークで形成されている。
【００８５】
最後にサイトＳ３は，帰属複数サイト組織Ｏ０に属しているサイトであるが，帰属結合ネットワーク及び例えばインターネットを介してサイトＳ１に接続されている。
【００８６】
移動体ネットワークに属している移動体端末Ｔ１はこのようにして，自己の帰属結合ネットワークにおいて動作できる。このＴ１とラベルが付けられた端末は，それが結合されている帰属サイトＳ１に接続されており，移動体ルータＭＲ１を介して例えばルータＲ１２へ，及び／又は自己の帰属結合ネットワーク外に接続されている。次にこのＴ２と記された端末は，移動体ルータＭＲ２を介してサイトＳ２を形成する局所サブネットワークに接続されたとき，この局所サブネットワークのルータＲ２に接続される。
【００８７】
上述の移動体端末はまた，自己の帰属結合ネットワークの外部にある，帰属複数サイト組織Ｏ０に属しているサイトＳ３へもインターネットを介して接続できる。この場合上述の移動体端末はＴ３と記されており，移動体ルータＭＲ３を介して接続されている。
【００８８】
最後に上述の移動体端末は，帰属複数サイト組織Ｏ０に属さないが代わりにＯｐと記された外部複数サイト組織に属しているＳｐと記された外部サイトに接続できる。このシナリオでは上述の移動体端末は参照符号Ｔｐが付けられており，移動体ルータＭＲｐを介して接続されている。
【００８９】
非限定的な例として，参照符号ＭＲ１，ＭＲ２，ＭＲ３及びＭＲｐを有する上述の移動体ルータは，関連する移動体ネットワークを介して移動する同一の移動体ルータであってもよいし，又は本発明の主題である方法を実施する任意の別の移動体ルータ及びネットワークであってもよいものと当然理解される。
【００９０】
図３ａに示すように，帰属結合サイト及び最終的に帰属結合ネットワークによって，移動体ルータＭＲ１からこの帰属結合ネットワークに属しているサイトへの任意のネットワークコネクションの，Ｐ＠１ｉで記された内部永続アドレスが移動体ルータＭＲ１に割り当てられる。
【００９１】
同様に，上述の移動体ルータから帰属複数サイト組織Ｏ０に属している別のサイトへの任意のネットワークコネクションのために，ＭＲ２又はＭＲ３と記された移動体ルータに内部一時アドレスが割り当てられる。特に帰属複数サイト組織Ｏ０の役割をするＩＰネットワークの管理者，及び最終的にサイトＳ１，Ｓ２及びＳ３の管理者は，ＭＲ２と記された移動体ルータがサイトＳ２に接続しているときはＰ＠２ｊと記された内部一時アドレスを，又は代わりにＭＲ３と記された移動体ルータがサイトＳ３に接続しているときはＰ＠３ｋ又はＰ＠４ｌと記された内部一時アドレスを，割り当てる立場にある。各内部一時アドレスＰ＠３ｋ又はＰ＠４ｌの間の差は，例えば，移動性アドレスと呼ばれ，おおむね任意であり，サーバセンタＳによって割り当てられた一時アドレスと，変換アドレスとにそれぞれ対応することに特に注目されたい。
【００９２】
特に企業の場合，管理者はプライベートアドレスと呼ばれる，自由に使うことができるＩＰアドレス集合を有していることが思い起こされる。ほかのＩＰネットワークのどの管理者もまたこれら同一のＩＰアドレスを自由に再利用できる（ＩＥＴＦ文書ＲＦＣ１９１８参照）。更にこれらの企業がインターネットを介して通信したいときは，世界で唯一の，したがってインターネットに接続されたネットワークにかかわらない大域的に唯一のＩＰアドレスを使わなければならない。大域的に唯一のＩＰアドレスはパブリックアドレスと呼ばれ，インターネット接続事業者又は地域ＲＩＲ（地域インターネットレジストリ）のいずれかによって指定される。ほとんどの場合，企業は自己のネットワークとインターネットとの間に，プライベートアドレスをパブリックアドレスに変換する装置を使用する。本発明の主題である方法においては，移動体ルータＭＲｘに指定されたＩＰアドレスはプライベートであってよく，それでもサーバＳへのデータグラムは，インターネットを通過するときにアドレス変換器を通過することができ，したがってパブリックアドレスから来たように見える。このようなパブリックアドレスは，例えば図３ａのサイトＳ３が所有してもよいし，又は任意のほかのサイトが所有してもよい。
【００９３】
最後に，移動体ルータが，帰属複数サイト組織に属さずに別の複数サイト組織Ｏｐに属しているサイトＳｐのような外部サイトに接続しているとき，図３ａの移動体ルータＭＲｐに割り当てられたアドレスはＰ＠ｐｍと記され，外部一時アドレスの役割をする。Ｐ＠ｐｍはプライベートアドレスを示し，Ｐ＠６ｎは上述のプライベートアドレスＰ＠ｐｍのアドレス変換として用いられるパブリックアドレスを示す。
【００９４】
これらの条件下で，内部永続アドレス及び内部一時アドレスとは，帰属複数サイト組織Ｏ０に関連する割り当てられたアドレスの内部的性質に対応し，一方一時アドレスの外部的性質は，移動体端末が帰属複数サイト組織に属さないサイトに接続したとき，上述の帰属複数サイト組織に関連するこのアドレスの外部的性質に対応することを理解されたい。
【００９５】
演えき的に，内部アドレスだけが帰属複数サイト組織Ｏ０に知られており，一方外部アドレスは後者に知られていないものと当然理解される。
【００９６】
したがって，本発明の主題である方法の１つの態様によって，上述の内部アドレス及び／又は外部アドレスは，移動体端末のために帰属複数サイト組織Ｏ０に関連する位置参照子の役割をする。
【００９７】
このようにして非限定的な例として，
【数１】
2008524894.tif 000003
は帰属サイトＳ１に対応する帰属結合ネットワークに結合された移動体ルータ集合に割り当てられるサブネットワークの１つの内部永続アドレス集合を表す。この集合は，帰属リンク又は帰属サブネットワークの内部永続アドレスであり，したがって集合｛Ｐ＠１ｉ｝は，帰属サイトＳ１のアドレス集合を指し，すべてのサブネットワークは統合されている。
【００９８】
【数２】
2008524894.tif 000004
は，これらの移動体ルータのうち１つから，帰属複数サイト組織Ｏ０に属している別のサイトへの任意のコネクションのために，上述の移動体ルータ集合に割り当てられた内部一時アドレス集合を表す。
【００９９】
【数３】
2008524894.tif 000005
は，帰属複数サイト組織とは別個の複数サイト組織Ｏｐによって割り当てられた，この別個の複数サイト組織に属している任意のサイトＳｐのための外部一時アドレス集合を表す。
【０１００】
【数４】
2008524894.tif 000006
は，プライベートアドレスＰ＠ｐｍの変換に用いられるパブリックアドレス集合を表す。
【０１０１】
図３ｂを参照すると，上述のネットワーク移動体ルータから決定したサイトへの任意のコネクションに対して，本発明の主題である独自の位置情報処理は，ステップＡにおいて移動体端末Ｔ１，Ｔ２，Ｔ３又はＴｐから帰属結合ネットワークへ，最終的に帰属複数サイト組織Ｏ０に属しているサイトＳ１へ，少なくとも上記の位置参照子を含む登録メッセージを送信するステップを含む。
【０１０２】
図３ｂにおいて登録メッセージは
ＲＭ（ＬＲ）
で表され，ここでＬＲは上記の位置参照子を表す。位置参照子は，図３ａに示したシナリオによって，上述の移動する移動体ルータに割り当てられたアドレスのうち１つによって形成されることが思い起こされる。
【０１０３】
信号通知メッセージを，上述の移動体ルータのコネクションを登録するために用いてもよい。
【０１０４】
特に有利かつ非制限的方法においては，位置参照子ＬＲは割り当てられたアドレスの符号化された値及び関数であってよい。この場合この符号化された値は，移動体端末において，永続アドレスと構成かぎとの特定のビット単位ＸＯＲ符号化関数等と，可逆符号化関数と，帰属サイトＳ１のサーバＳだけに知られており，永続アドレスを回復する構成かぎとから得ることができる。符号化関数及び可逆復号恒等関数は，例えば永続帰属アドレスだけを送信するために用いられる。この目的のために移動体ルータは，ｆ（ＬＲ）で表される符号化関数ｆによって，位置参照子ＬＲの符号化結果と，永続帰属アドレス｛Ｐ＠１ｓｉ｝に適用されたこれと同一の符号化関数の結果と，を比較できる検査を実行できる。移動体端末は，この比較を行うために，ｆ（｛Ｐ＠１ｓｉ｝）がｆ（ＬＲ）を計算することだけを知っている。この比較によって，移動体端末が自己の帰属サイトＳ１上の自己の帰属リンクにおいて接続されているか否かを検出できる。サーバＳは，真の集合
【数５】
2008524894.tif 000007
を見付けるために，符号化ＲＰ＠１ｓｉ＝ｆ（｛Ｐ＠１ｓｉ｝）から得られる値を復号しなければならない。ここでｓは固定である。サーバＳだけが逆関数ｆ−１を知っており，それは永続アドレスの符号化値に適用されて，ｆ−１（ｆ｛Ｐ＠１ｓｉ｝）＝｛Ｐ＠１ｓｉ｝が後者を回復する。サーバＳは次に，端末が自己の帰属サイト上にあるかどうかを調べるために，位置参照子値ＬＲと
【数６】
2008524894.tif 000008
とを比較できる。ここでｓ＝１〜Ｈである。
【０１０５】
ステップＡは次にステップＢ１に続き，それは識別のために，位置参照子ＬＲと，少なくとも，帰属結合ネットワークに結合された移動体ルータ集合に割り当てられた内部永続アドレス集合，及び帰属複数サイト組織Ｏ０に属している別のサイトへの任意のコネクションのためにこの移動体ルータ集合に割り当てられた内部一時アドレス集合によって形成された上述の集合のうち１つのアドレスの値と，を比較するステップを含む。
【０１０６】
図３ｂにおいて比較操作は次の関係式で表される。
【数７】
2008524894.tif 000009
【０１０７】
比較ステップＢ１は次にステップＢ２に続き，それは帰属結合サイトＳ１から移動体ルータへ，後者の位置に応じて上述の移動体ルータの位置識別情報アイテムを少なくとも含む信号通知応答又は肯定応答メッセージを送信するステップを含む。
【０１０８】
ステップＢ２において，登録肯定応答メッセージはＡＲ（ＬＩ）で表されている。
【０１０９】
上述のメッセージについて，ＬＩは移動体ルータに送信される位置識別情報アイテムを表している。
【０１１０】
本発明の主題である方法の１つの注目すべき態様によれば，位置識別情報アイテムＬＩは次に掲げるうちのいずれかを表す。
・位置参照子ＬＲが内部永続アドレス集合の中にあったときは，移動体ルータから自己の帰属結合ネットワーク，すなわち自己のサイトＳ１へのコネクション
・位置参照子ＬＲが上述の内部一時アドレス集合の中にあったときは，ネットワーク移動体ルータから帰属複数サイト組織に属している別のサイトへのコネクション
・位置参照子ＬＲが，内部永続アドレス集合及び内部一時アドレス集合双方になかったときは，ネットワーク移動体ルータから帰属複数サイト組織に属している外部サイトへのコネクション
【０１１１】
図３ｂ内の上述のステップＢ２において，位置識別情報アイテムの内容は次の関係式で表される。
【数８】
2008524894.tif 000010
【０１１２】
上記の関係式において，サイトＳ１，Ｓ２，Ｓ３の帰属に関する関係式は記号で表されているが，本明細書で前述したように位置参照子が上述のサイトそれぞれに関連するアドレス集合に属しているかどうかを調べることによって実行されることに注目されたい。
【０１１３】
位置参照子ＬＲの非帰属についても，位置参照子ＬＲが帰属複数サイト組織に属している各サイトＳ１，Ｓ２，Ｓ３に関連するアドレスのすべての集合の中にないことを調べることによって得られることも理解されたい。
【０１１４】
図３ｂ内のステップＢ２で与えられる記号関係式において，位置情報アイテムＬＩの値０，１，２は，もちろん全く任意である。
【０１１５】
最後に図３ｂ内のステップＢ２において，ＭＲｘは実際にはＭＲ１，ＭＲ２，ＭＲ３，又はＭＲｐで示される移動体ルータを表す。
【０１１６】
【数９】
2008524894.tif 000011
【０１１７】
【数１０】
2008524894.tif 000012
【０１１８】
【数１１】
2008524894.tif 000013
【０１１９】
図３ａ内のＭＲｐで示す移動体ルータに割り当てられた外部一時アドレスについては，帰属複数サイト組織に属さない外部サイトＳｐへの任意のネットワークコネクションについて，そのような一時アドレスは，例えば別個の複数サイト組織Ｏｐの管理者の権限下でＯｐが移動体ルータに割り当てた永続アドレスを用いる変換によって計算され，複数サイト組織Ｏｐとインターネットとの間で，帰属複数サイト組織Ｏ０内のサーバＳに届く前にインターネット上で唯一であるＩＰアドレスに変換されたアドレス値によって形成できることに注目されたい。
【０１２０】
図３ｂ内の比較ステップＢ１の特定の実装に関しては，そのような実装は非限定的な例として，図３ｃに示す一連のステップを含むことができることに注目されたい。
【０１２１】
図３ｂ及び３ｃにおいて位置参照子ＬＲはＬＲ＝Ｐ＠ｘｙで表され，ここでｘは移動体ルータのシナリオ参照子を，ｙはこのシナリオにおいて割り当てられたアドレスを示す。
【０１２２】
したがって上述の各ステップは，非限定的な例として，ステップＢ１の実装に関連してステップＢ１１を含み，これは位置参照子が内部永続アドレス集合に属しているかどうかに関し，この検査Ｂ１１に対する応答が肯定であったときはステップＢ１２において，位置識別情報アイテムＬＩの値が０であるという結論が導かれ，次に移動体ルータＭＲｘが帰属複数サイト組織Ｏ０に属している帰属サイトＳ１に接続される。
【０１２３】
しかし検査Ｂ１１の応答が否定であったときは新たな検査Ｂ１３が呼び出され，本明細書で前述したとおり位置参照子ＬＲと内部一時アドレス集合との比較を行う。
【０１２４】
検査Ｂ１３の応答が肯定であったときは，位置情報アイテムＬＩに値ＬＩ＝１が割り当てられ，したがって移動体ルータＭＲｘは帰属サイトＳ１とは別の，しかし帰属複数サイト組織Ｏ０に属しているサイトＳｘに接続される。
【０１２５】
しかし検査Ｂ１３の応答が否定であったときは，位置情報アイテムＬＩに値２が指定され，移動体ルータＭＲｘは帰属複数サイト組織Ｏ０に属さない外部サイトＳｐに接続される。
【０１２６】
より詳細かつ非限定的な方法においては，コネクション位置の値ＬＩを識別し，このコネクション位置の値を図２ｂに示す肯定応答メッセージＡＲ（ＬＩ）を介して送信するステップＢは，移動体ルータＭＲｘにおいて，位置変数ＬＩを生成するためにこの移動体ルータのコネクションを見付ける手続の実行を含むステップによって置換できることに注目されたい。
【０１２７】
この代替実装は，列車又は鉄道車両のような大きな移動体ネットワークに実装できる。図３ｂ及び３ｃのステップＢ１及びＢ２を実行するために必要な移動体ルータの永続アドレス及び一時アドレスのデータベースは，移動体ルータＭＲｘにおいて利用できなければならない。
【０１２８】
ここで図４ａ及び４ｂを参照して，本発明の主題による拡張マルチキャスト情報通信の独自の処理を説明する。この通信は，帰属サイト上の局所マルチキャスト情報通信を用いて，この帰属サイトに属している少なくとも１つのユーザ移動体端末と，この移動体ワークステーションをホストする少なくとも１つの別個のサイトと，この帰属サイトと，に移動体ルータとＩＰネットワークとを介してリンクする。
【０１２９】
一般に，ＬＭＤ１ｉで記される局所マルチキャスト情報通信は，この帰属サイトＳ１内の局所マルチキャスト情報通信の第１アドレスの個別情報同報源ＳＤが生成することが思い起こされる。
【０１３０】
図４ａを参照すると，局所マルチキャスト情報通信はＬＭＤ１ｉと記されている。アドレス参照子１及びｉは，この帰属サイトにおける局所マルチキャスト情報通信の第１アドレスを表し，参照子１は帰属サイトＳ１のアドレスを表し，参照子ｉは前述の帰属サイトにおける当該局所マルチキャスト情報通信のアドレスを表す。局所マルチキャスト情報通信は，本明細書で前述した第１同報アドレスＧＲ１になぞらえることができる。
【０１３１】
別個のサイトの集合｛Ｓｋ｝，ここでｋ＝２〜Ｎ，もまた考えられ，帰属サイトＳ１及び各サイトＳｋのそれぞれが，本明細書で前述したエンティティすなわち複数サイト企業の役割をする。
【０１３２】
最後に移動体端末は，Ｔ１ｊｋで示されていると考える。インデクス１は帰属サイトＳ１に属しているこの移動体端末に関連する参照子を示し，参照子ｊは当該移動体端末を識別する参照子又は符号を表し，参照子ｋは当該移動体ルータＭＲｋの，後者を収容する別個のサイトＳｋへのコネクションと，移動体ルータＭＲｋ及びＩＰネットワークを介する当該移動体端末の帰属サイトへのリンクと，を表す。
【０１３３】
図４ａを参照すると，本発明の主題である拡張マルチキャスト情報通信の独自処理は，移動体端末及び移動体ルータＭＲｋのＩＰネットワークへの相互接続を介して，ステップＨ１において移動体ルータＭＲｋから帰属サイトＳ１へ，拡張マルチキャスト情報通信要求メッセージを送信するステップを含み，この要求メッセージはＥＭＲ（ＬＭＤ１ｉ）で記される。
【０１３４】
図４ａのステップＨ１に示すように，上述の要求メッセージは，グループマルチキャスト通信アドレスＧＲの役割をする局所マルチキャスト情報通信の第１アドレスＬＭＤ１ｉと，特に当該移動体ワークステーションＴ１ｊｋのインデクス１並びに参照子ｊ及びｋを用いて移動体ルータＭＲｋを識別する符号と，を少なくとも含む。
【０１３５】
帰属サイトＳ１が要求メッセージに含まれる情報を用いているＭＲｋを識別した後，拡張マルチキャスト情報通信処理は，ステップＨ２において帰属サイトＳ１から移動体ルータＭＲｋに大域マルチキャスト情報通信への接続をオファーするメッセージを送信するステップを含む。この接続オファーメッセージＧＭＯ（ＧＭＤ１ｇ）は図４ａにおいてＧＭＯ（ＧＭＤ１ｇ）と記されている。上述の接続オファーメッセージは，大域マルチキャスト情報通信ＧＭＤ１ｇの第２アドレス，すなわち置換アドレスＧＲ２を少なくとも含み，大域マルチキャスト情報通信の同報源は，帰属サイト内にある。
【０１３６】
図４ａ及びその中のステップＨ２を参照すると，大域マルチキャスト情報通信ＧＭＤ１ｇの第２アドレスは，帰属サイトに関連するインデクス１の参照子と，本明細書で前述したＲＦＣ２３６５標準による特定の方法で定義された大域マルチキャスト通信アドレスに関連する参照子ｇと，を含むことが分かる。
【０１３７】
移動体ルータＭＲｋが接続オファーメッセージＧＭＯ（ＧＭＤ１ｇ）を受信した後，拡張マルチキャスト情報処理はステップＨ３において，上述の移動体ルータＭＲｋから帰属サイトＳ１にＩＰネットワークを介して接続オファー受付メッセージを送信して，大域マルチキャスト情報通信の第２アドレスで同報する情報に接続する。
【０１３８】
図４ａのステップＨ３において，接続オファー受付メッセージはＡＡＯ（ＧＭＤ１ｇ）と記されている。
【０１３９】
接続オファー受付メッセージＡＡＯ（ＧＭＤ１ｇ）が帰属サイトＳ１で受信された後，拡張マルチキャスト情報通信処理は，第１同報アドレスに記憶され，そのためにＩＤ１ｉと記されている同報する情報を第２同報アドレスに転送するステップＨ４を含む。この情報は，ＩＤ１ｇと記される第２同報アドレス下に記憶される。
【０１４０】
この単純な操作によって，帰属サイトＳ１上の局所マルチキャスト情報通信による情報同報通信は，次に図４ａに示された次のステップＨ５を介して拡張マルチキャスト情報通信によって同報できる。
【０１４１】
上述のステップＨ５は次に，同報する情報を第２アドレスＩＤ１ｇ下で大域マルチキャスト同報通信によって送信するステップを含む。これによって別個のサイトＳｋに相互接続した移動体ルータＭＲｋが，第１局所同報アドレス下で同報されている上述の別個のサイトの情報を受信し，次に第２大域同報アドレス下で同報できるようになる。
【０１４２】
同じく図４ａを参照すると，この図に示されているステップＨ１，Ｈ２，Ｈ３は，移動体ルータＭＲｋと帰属サイトＳ１との間の，拡張ＩＰマルチキャスト通信要求メッセージＥＭＲ（ＬＭＤ１ｉ）と，大域マルチキャスト通信ＧＭＯ（ＧＭＤ１ｇ）への接続の接続オファーメッセージと，接続オファー受付メッセージＡＡＯ（ＧＭＤ１ｇ）との送信に関係し，ポイント‐ツ‐ポイントモードで実行されることに注目されたい。
【０１４３】
上述のステップのこの送信モードの実行は，帰属サイトの対応する各アドレス１と，対応する当該別個のサイトＳｋのｋと，移動体ワークステーションのインデクスｊ又はアドレス参照子と，を伝送することにより可能になり，それによって後者を識別する符号を含むことができ，移動体ルータのアドレス参照子は上述のインデクスｋ及びｊによって識別される。
【０１４４】
しかし，本発明の主題の方法の注目に値する態様によって，大域マルチキャスト送信のステップＨ５はポイント‐ツ‐ポイントモードで実行される。
【０１４５】
したがってこれらの条件下で，第２アドレス下で同報する情報の送信処理，すなわちステップＨ５における大域マルチキャスト送信は，本明細書において図１ａを参照して前述したものと同等であるが，大域マルチキャスト通信ＩＤ１ｇの第２アドレス下で同報する情報の送信は，もはや帰属サイトにおいてだけではなく，複数サイトエンティティの別個の１又は複数のサイトにおいても局所的に実行されることを理解されたい。
【０１４６】
同報する情報を，第１同報アドレスから第２同報アドレスに転送するステップを含むステップＨ４の特定の実装を，ここで図４ｂを参照して説明する。
【０１４７】
上述の実装は，帰属サイトＳ１が例えばＲ１１と記されたルータを介してＩＰネットワークに接続されている同報サーバＳＤを備えている特定の非制限的な事例に関連する。この特定の事例は，複数サイト企業の帰属サイトＳ１のうち１つが，多数のクライアントを収容する同報サーバＳＤを備えるシナリオに対応させるのが有利であり，このシナリオにおいてはルータの使用が好ましい。
【０１４８】
図４ｂを参照すると，上述のステップＨ４は次に，同報サーバからルータＲ１１へ第１アドレスＬＭＤ１ｉに格納された同報する情報を局所マルチキャスト通信するステップＨ４１を含むことが示されている。
【０１４９】
上述のステップＨ４１はステップＨ４２に続き，それは大域マルチキャスト通信ＧＭＤ１ｇの第２アドレス，すなわちＧＲ２を，グループマルチキャスト通信のアドレスＧＲの役割をする局所同報通信ＬＭＤ１ｉの第１アドレスで置換することによって，同報する情報ＩＤ１ｉのあて先変更をするステップを含む。特にこのあて先変更ステップＨ４２は，第２同報アドレスで格納されたデータであってＩＤ１ｇと記されたデータを実際に生成するために，大域マルチキャスト通信の第２アドレスを局所同報情報ＩＤ１ｉに割り当てるステップを単に含んでもよいことを理解されたい。
【０１５０】
特に上述のあて先変更ステップは，同報する情報に対応する格納データであってルータＲ１１に格納されたデータと，第１アドレス及び第２アドレスを含む単純なデータ構造，少なくとも上述の第１アドレス及び第２アドレスを含む単なるリスト，又は任意の均等なデータ構造と，を関連付けるステップを単に含んでもよいことを理解されたい。
【０１５１】
拡張マルチキャスト通信処理の操作方法が図４ａ及び４ｂで説明したとおりであるとすれば，局所マルチキャスト通信と同じ第１アドレスに関して，帰属サイトに属し，それぞれ別個のサイト上でＩＰネットワークと相互接続する多数の移動体ルータから発信される多数の拡張マルチキャスト通信要求メッセージに対して，ステップＨ５は第２アドレス下で同報する情報を大域マルチキャスト通信によって送信するステップを含み，大域マルチキャストツリーが作ることができ，そのルートアイテムは前述の大域マルチキャストツリーを構成する同報ツリーに共通のルータのうち１つによって形成されることに注目されたい。
【０１５２】
しかし拡張マルチキャスト通信処理の特定の実装を展望できる。この実装は，同報サーバＳＤ及びルータＲ１１双方において，局所及び対応する大域のマルチキャスト情報通信の種別と，最終的にこの目的で占められるメモリ領域と，の一貫した管理を提供するために特に有利であると思われる。
【０１５３】
上述した特に有利な実装によれば，大域マルチキャスト通信ＧＭＤ１ｇの第２アドレスは，第１アドレスの局所マルチキャスト情報通信ＬＭＤ１ｉに関して永続的に維持され，検証できる。永続的情報通信とは，外部に接続された移動体ルータがある限り大域アドレスを維持することを意味するものと理解されたい。
【０１５４】
これらの条件下で，大域マルチキャスト情報通信ＧＭＤ１ｇの第２アドレスを永続的に維持し，検証するために，リスト［ＬＭＤ１ｉ，ＧＭ１ｇ］のようなデータ構造をルータに永続的に格納して保護し，このようにして第１アドレス及び第２アドレスは永続的に１対１対応下に置かれることを理解されたい。
【０１５５】
したがってこれらの条件下で，第１同報アドレスから第２同報アドレスへ同報する情報を転送するステップを含むステップＨ４は，上述の第２アドレスへの最初の拡張ＩＰマルチキャスト通信要求メッセージの後，この第２アドレスへのどの拡張マルチキャスト通信要求メッセージも抑圧してよい。
【０１５６】
ステップＨ４における抑圧とは単に，第１アドレスにおいて格納されたデータを第２アドレスへ物理的に転送することを抑圧することに関し，したがってこの物理的転送は，前述の永続データ構造から大域マルチキャスト情報通信の第２アドレスを呼び出すステップによって単に置換できることを特に理解されたい。
【０１５７】
独自の拡張大域マルチキャスト通信処理の，帰属サイト及び／又は対応する帰属複数サイト組織に関連するコネクションサイトを識別する独自の処理の更に詳細な説明については，本出願人名義で２００３年８月１２日及び２００３年１０月２９日にそれぞれ提出された仏国特許出願ＦＲ０３  ０９８７３及びＦＲ０３  １２６８８を参照すると有用であろう。
【０１５８】
ここで図５を参照して本発明の主題による専用移動体ルータをより詳細に説明する。このルータは移動体ＩＰネットワークに接続された任意のユーザ移動体端末によるアクセス要求を制御し，送信する機能を備えており，前述の移動体ＩＰネットワークは後者によって管理され，実装する本発明の主題である方法を実現するものである。
【０１５９】
本発明の主題である移動体ルータは通常，上述のように接続要求を制御し送信する機能を備えており，当然，中央処理ユニットＣＰＵと，ＩＰメッセージを送受信する入出力デバイスＩ／Ｏと，図２ａ〜４ｃを参照して前に説明した種々の機能を実現するソフトウェアモジュールと，のような通常のデータを処理するリソースを備えている。
【０１６０】
図５に示すように移動体ルータＭＲｘは，要求ユーザ移動体端末Ｔｘが送信する，マルチキャスト通信へのどの接続要求が要求するマルチキャスト通信の種別も識別する少なくとも１つのモジュールＭ１を含む。上述のソフトウェアモジュールＭ１は本発明の主題である方法，特に図２ａ及び２ｂに関して前述した独自の位置情報処理ステップを実現する。
【０１６１】
上述の移動体ルータはまたモジュールＭ２を含み，それは自己の帰属サイトの外部又は自己の帰属組織の外部にある移動体ルータのコネクションの位置変数によって，帰属サイトへのグループマルチキャスト通信であって，移動体端末の帰属サイト及び対応する帰属組織の局所マルチキャスト通信に関連するマルチキャスト通信へのどの接続要求も，局所マルチキャスト通信への接続を提供する拡張マルチキャスト通信への接続要求に置換するものである。モジュールＭ２は例えば，図２ａのステップＤ〜Ｈを実際に実行するソフトウェアモジュールである。
【０１６２】
上述の移動体ルータはまたＭ３と記されたソフトウェアモジュールも含み，それは移動体ルータＭＲｘの帰属サイトから受信した拡張マルチキャスト通信を局所変換マルチキャスト通信ＴＭＦ（ＧＲ）に変換するものであり，局所変換マルチキャスト通信の情報源アドレスは上述のアドレスＧＲで置換される。ソフトウェアモジュールＭ３は実際に図２ａに示すステップＪ及びＫを実行する。
【０１６３】
受信した大域マルチキャストストリームデータアイテムを保存し，拡張マルチキャスト通信処理の役割をする大域マルチキャスト通信の情報源アドレスを局所変換マルチキャスト通信の情報源アドレス，すなわち図２ａのステップＪにおけるアドレスＧＲで置換することによって，ソフトウェアモジュールＭ３はその変換を有利に実行できることを特に理解されたい。
【０１６４】
更に本発明の主題である専用移動体ルータＭＲｘは当然，入出力デバイスＩ／Ｏを通じたＩＰメッセージ送信及び受信リソースを備える。受信リソースは図５に示すように，少なくとも接続オファーメッセージ，すなわちメッセージＡＲ（ＬＩ）の位置情報受信と，図２ａのステップＩ，次に図２ｂのステップＪ１に示す拡張マルチキャスト通信受信と，を提供する。
【０１６５】
入出力デバイス（Ｉ／Ｏ）はまた，少なくとも拡張マルチキャスト情報通信要求メッセージ，すなわちＥＭＲ（ＬＭＤ１ｉ）と，接続オファー受付メッセージＡＡＯ（ＧＭＤ１ｇ）と，を送信する。
【０１６６】
最後に，上述の送信リソースはまた，当然，図５に示すように，図２ａのステップＫにおいて，局所変換マルチキャスト通信ストリームを移動体ＩＰネットワークを介して少なくとも要求ユーザ移動体端末Ｔｘへ送信する。
【０１６７】
ここで，種々の接続移動体ネットワークが要求したときに，サイト相互接続ネットワークを介する拡張マルチキャスト通信に対応するマルチキャスト通信ツリーを設定する処理を，図６ａ〜６ｃを参照してより詳細に説明する。
【０１６８】
図５に示す移動体ルータＭＲｘの特定の構成に加えて，後者は，自己の帰属サイト上の新たなソフトウェアエージェントを含む計算機のアドレスと，特に帰属サイトの接続ルータのアドレスと，を明示的に有することが思い起こされる。特に図５を参照して前述したように，局所変換マルチキャスト通信ストリームを，移動体ＩＰネットワークを介して少なくとも要求ユーザ移動体端末Ｔｘへ送信するために，移動体ルータＭＲｘはマルチキャストパケットを修正し，次にそれらを移動体ネットワーク又は当該ネットワークを介して，適切な形式の局所マルチキャスト通信として送信するソフトウェアエージェントを備えることを特に理解されたい。
【０１６９】
より詳細に言えば，どの移動体ルータＭＲｘも，自己の帰属サイトの局所同報通信に接続又は視聴契約するために，もはや通常のＭＬＤ又はＩＧＭＰの視聴契約要求を自己の接続ルータに送信することはなく，代わりに図５に示したメッセージＥＭＲ（ＬＭＤ１ｉ）のような要求又はメッセージを送信することが思い起こされる。
【０１７０】
次に，本明細書で前述したように拡張局所同報通信を変換するために，帰属サイトの接続ルータ上に置かれたソフトウェアエージェント，すなわち図６ａのサイトＳ１上のエージェントＡＬ１は，帰属サイトＳ１と移動体ルータとの間にマルチキャスト通信を構築するよう指示する。
【０１７１】
次に移動体ルータはこの新規なマルチキャスト通信に接続又は視聴契約し，次に関連する移動体ネットワークを介して，例えば元の局所同報通信形式でそれを再送信する。
【０１７２】
図６ａ〜６ｃを参照し，局所同報通信の情報源ＳＤはサイトＳ１上にあることに注目されたい。３つの移動体ルータＭＲ２，ＭＲ３，ＭＲ４は，それぞれサイトＳ２，Ｓ３，Ｓ４にある在圏（ｖｉｓｉｔｉｎｇ）ルータである。ＡＬ１は帰属サイトの接続ルータＲ１にあるソフトウェアエージェントを表し，上述の移動体ルータの移動性を管理するものである。ＡＬ２，ＡＬ３，ＡＬ４は，移動体ルータＭＲ２，ＭＲ３，ＭＲ４にそれぞれ組み込まれたソフトエージェントを表し，対応する移動体ＩＰネットワークに接続された移動体端末への同報ストリームを中継すると共に，移動シナリオにおけるマルチキャスト視聴契約を管理する役割を持つ。
【０１７３】
図６ａ〜６ｃに示す種々のシナリオは次のとおりである。
【０１７４】
移動体ネットワークＭＮｃの移動体端末Ｔ３は，アドレスがＧ１である自己の帰属サイトＳ１の局所同報通信に接続することを所望している。
【０１７５】
移動体端末Ｔ３は，自己の既定ルータである移動体ルータＭＲ３にＩＧＭＰ又はＭＬＤ要求を送信する。
【０１７６】
「ＭＬＤプロキシ」又は「ＩＧＭＰプロキシ｝と呼ばれるＭＲ３の機能が，アドレスがＧ１である自己の帰属サイトＳ１の局所同報通信への接続手順を検索する。
【０１７７】
移動体ルータＭＲ３は，本明細書で前述したように自己のコネクションを事前に見付け，同報マルチキャストアドレスが，帰属サイトＳ１に限定された私的同報通信に対応することを判定している。
【０１７８】
したがって移動体ルータは，ＭＬＤ又はＩＧＭＰの接続要求メッセージではなく，メッセージＥＭＲ（ＬＭＤ１ｉ）を自己の帰属サイトＳ１の接続ルータに組み込まれたソフトウェアエージェントＡＬ１に送信する。上述のメッセージは，接続要求がされている同報アドレスＧ１を含む。
【０１７９】
Ｓ１のソフトウェアエージェントＡＬ１はメッセージを受信し，移動体ルータＭＲ３を識別し，そして拡張マルチキャスト通信への接続オファーを送信する。拡張マルチキャスト通信のアドレスは，第２置換アドレスＧ２，すなわち図５のアドレスＧＭＤ１ｇである。
【０１８０】
このアドレスは，サイトＳ１上の接続ルータＲ１がその情報源であることが識別されている大域マルチキャスト通信に対応するアドレスである。
【０１８１】
移動体ルータＭＲ３が接続オファーを送信した後，接続オファー受付がメッセージＡＡＯ（ＧＭＤ１ｇ）によって，ＭＬＤ又はＩＧＭＰアドレス若しくは視聴契約メッセージを介してサイトＳ１の接続ルータ及びソフトウェアエージェントＡＬ１に送信される。次に対応する拡張マルチキャスト通信が相互接続ネットワークを介して伝ぱされる。
【０１８２】
同時に，ソフトウェアエージェントＡＬ１を収容するサイトＳ１における接続ルータＲ１は，それ自身がデータを受信するためにそのサイトに限定されているアドレスＧ１の局所マルチキャスト通信に視聴契約する。接続オファー受付メッセージＡＡＯ（ＧＭＤ１ｇ）を受信した後，アドレスＧ１の局所マルチキャスト通信のデータがアドレスＧ２の大域マルチキャスト通信で利用できるようになり，それによって帰属サイトＳ１の外部に送信される。
【０１８３】
次にサイトＳ３の在圏移動体ルータＭＲ３に組み込まれたソフトウェアエージェントＡＬ３は，アドレスＧ２の大域同報通信，すなわち拡張マルチキャスト通信を介して，アドレスＧ１のサイトＳ１の局所同報データを受信する。
【０１８４】
次にソフトウェアエージェントＡＬ３は，大域マルチキャストストリームを，移動体ネットワークＭＮｃを介して送信される局所変換マルチキャストストリームに変換する。移動体端末，特に移動体端末Ｔ３はこのアドレスＧ１の局所マルチキャスト通信を受信するが，それでもその実装メカニズムは，その移動体端末に完全に透過的である。
【０１８５】
図６ｂを参照してここで，アドレスＧ１のサイトＳ１の同一の局所同報通信への接続を期待する，サイトＳ２に在圏する移動体ネットワークＭＮＡ上の移動体端末Ｔ２を考える。したがって端末Ｔ２は，自己の既定ルータである，図６ｂの移動体ルータＭＲ２にＩＧＭＰ要求又はＭＬＤ要求を送信する。
【０１８６】
前述の移動体ルータの「ＭＬＤプロキシ」機能又は「ＩＧＭＰプロキシ」機能は，アドレスがＧ１である帰属サイトＳ１の同一の局所同報通信に接続しようとする。
【０１８７】
移動体ルータＭＲ２は，自己の位置を事前に検出し，要求された同報通信のマルチキャストアドレスが，帰属サイトＳ１に限定された同報通信に対応することを調べている。移動体ルータは，要求した同報通信が大域同報通信であるとき送信する，ＭＬＤ又はＩＧＭＰの視聴契約メッセージではなく，あるメッセージを自己の帰属サイトの接続ルータ，すなわちルータＲ１に組み込まれたソフトウェアエージェントＡＬ１に送信する。このメッセージは当然，要求した同報通信のアドレスＧ１を含む。
【０１８８】
サイトＳ１のソフトウェアエージェントＡＬ１が上述の要求メッセージを受信する。移動体ルータＭＲ２が識別された後，移動体ルータに送信される応答は，大域同報通信アドレスＧ２を伝送するために用いられる。対応する拡張マルチキャスト通信は既に進行中であるので，帰属サイトＳ１の接続ルータＲ１は，ほかの操作を行わない。
【０１８９】
移動体ルータＭＲ２がこの応答を受信すると，移動体ルータは通常通り自己の帰属サイトの接続ルータＲ１にＭＬＤ又はＩＧＭＰの視聴契約メッセージを送信して，アドレスＧ２の大域マルチキャスト通信に接続する。アドレスＧ２の大域マルチキャスト通信は，サイト相互接続ネットワーク上で既に進行中であるので，図６ｂに示すように大域マルチキャスト通信ツリーに新しい枝が生成される。そして次に移動体ルータＭＲ２は，アドレスＧ１のサイトＳ１の局所同報データを，拡張マルチキャスト通信，すなわちアドレスＧ２の大域マルチキャスト通信を介して，アドレスＧ１のサイトＳ１の局所同報データを受信する。
【０１９０】
次にサイトＳ２の在圏移動体ルータＭＲ２に組み込まれたソフトウェアエージェントＡＬ２は，アドレスＧ１のサイトＳ１の局所同報データをアドレスＧ２の大域同報通信を介して受信し，そして次にアドレスＧ２の大域同報データを，移動体ネットワークＭＮＡを介して，特に要求ユーザ端末Ｔ２へ送信するアドレスＧ１の局所マルチキャスト通信に置く。
【０１９１】
最後にここで図６を参照し，移動体ネットワークＭＮＢがサイトＳ４に在圏し，アドレスＧ１のサイトＳ１の同一局所同報通信を視聴契約することを所望しているシナリオを考える。対応する移動体ルータＭＲ４は，接続要求を帰属サイトＳ１のソフトウェアエージェントＡＬ１に送信し，アドレスＧ２の局所マルチキャスト通信が実行する拡張マルチキャスト通信を視聴契約し，そして前述のようにアドレスＧ１の局所マルチキャスト通信を，移動体ネットワークＭＮＢを介して局所的に再送信する。すべての場合のマルチキャスト通信ツリー状態を図６ｃに示す。
【０１９２】
このようにして，同報通信は，情報源すなわち同報サーバＳＤから端点受信器まで大域マルチキャスト通信のままであり，すなわち各移動体ルータＭＲ３，ＭＲ２，ＭＲ４は，ユニキャストトンネル，又はもちろん同報データの組織的複製も用いない。
【０１９３】
したがって任意の移動体ネットワークの一部において要求の対象となっている各同報通信に対して，マルチキャスト通信ツリーが相互接続ネットワークの全体に生成される。
【図面の簡単な説明】
【０１９４】
【図１ａ】先行技術を示す図である。
【図１ｂ】先行技術を示す図である。
【図２ａ】本発明の主題によって，移動体ＩＰネットワーク上の少なくとも１つのユーザ移動体端末にマルチキャスト通信の方法を実現するために本質的なステップのフローチャートを示す図である。
【図２ｂ】図２ａに示す本発明の主題である方法ステップの実現を詳細に示す図である。
【図３ａ】永続ＩＰアドレス及び一時ＩＰアドレスを，企業の移動体ネットワークに関連する移動体ルータに割り当てる，先行技術における既知の処理を示す図である。
【図３ｂ】本発明の主題である方法を実現させる移動体ＩＰネットワークに関連する移動体ルータのコネクションを見付ける処理を実現するフローチャートである。
【図３ｃ】図３ｂに示す位置情報処理が実行する比較ステップを実現する詳細なフローチャートである。
【図４ａ】本発明の主題である方法を実現させる拡張マルチキャスト送信の独自の処理を示す図である。
【図４ｂ】サイトの局所マルチキャスト通信を，大域マルチキャスト通信又は移動体ルータの帰属組織の局所同報通信に変換する処理の実現を詳細に示す図である。
【図５】本発明の主題である方法を実現させる専用移動体ルータの機能モデル図である。
【図６ａ】移動体ＩＰネットワークに関連する移動体ルータの種々の接続位置に対応する，本発明の主題である方法を実現する種々のシナリオを示す図である。
【図６ｂ】移動体ＩＰネットワークに関連する移動体ルータの種々の接続位置に対応する，本発明の主題である方法を実現する種々のシナリオを示す図である。
【図６ｃ】移動体ＩＰネットワークに関連する移動体ルータの種々の接続位置に対応する，本発明の主題である方法を実現する種々のシナリオを示す図である。
【図１ａ】
2008524894.tif 000014
【図１ｂ】
2008524894.tif 000015
【図２ａ】
2008524894.tif 000016
【図２ｂ】
2008524894.tif 000017
【図３ａ】
2008524894.tif 000018
【図３ｂ】
2008524894.tif 000019
【図３ｃ】
2008524894.tif 000020
【図４ａ】
2008524894.tif 000021
【図４ｂ】
2008524894.tif 000022
【図５】
2008524894.tif 000023
【図６ａ】
2008524894.tif 000024
【図６ｂ】
2008524894.tif 000025
【図６ｃ】
2008524894.tif 000026
【手続補正書】
【提出日】平成19年9月4日(2007.9.4)
【手続補正１】
【補正対象書類名】特許請求の範囲
【補正対象項目名】請求項１
【補正方法】変更
【補正の内容】
【請求項１】
任意のユーザ端末の任意のマルチキャスト通信への接続要求を制御及び送信する機能を有する移動体ルータを介して，移動体ＩＰネットワークの少なくとも１つのユーザ移動体端末へマルチキャスト通信を行う方法であって，前記移動体ルータが前記ＩＰネットワークに接続した後，及びこの移動体ルータから自己の帰属サイトへ信号通知メッセージを送信した後に，
前記帰属サイトにおける，
自己の帰属サイト及び対応する自己の帰属組織に関連する前記移動体ルータの位置を，前記信号通知メッセージを用いて識別する識別ステップ，及び
位置識別情報のアイテムを前記移動体ルータに送信する送信ステップ，
並びに
前記移動体ルータにおける，前記帰属サイトに向けられ，前記移動体端末の帰属サイト及び対応する帰属組織の局所マルチキャスト通信に関連するグループマルチキャスト通信への接続を要求する前記移動体ＩＰネットワーク上の要求ユーザ移動体端末の任意の接続要求に対して，
前記位置識別情報が，自己の帰属サイト及び対応する自己の帰属組織の外部にある移動体ルータへのコネクションを示すとき，前記接続要求を，前記局所マルチキャスト通信への接続を提供する拡張マルチキャスト通信への接続要求に置換するステップと，
前記帰属サイトに前記拡張マルチキャスト通信への前記接続要求を送信するステップと，
前記拡張マルチキャスト通信を前記移動体ルータにおいて受信し，局所変換マルチキャスト通信に変換するステップと，
前記移動体ＩＰネットワークを介して，前記局所変換マルチキャスト通信を少なくとも前記要求ユーザ移動体端末に送信するステップと，
を少なくとも含むことを特徴とする方法。
【国際調査報告】
2008524894.tif 000027
2008524894.tif 000028
2008524894.tif 000029
2008524894.tif 000030
2008524894.tif 000031
2008524894.tif 000032